(57)【要約】【課題】多機能携帯電話器やその他の携帯通信端末を、落下などの物理的な衝撃から守り、しかもその携帯通信端末の画面操作を片手の指先で行いやすい保護カバーを提供する。【解決手段】多機能携帯電話器やその他の携帯通信端末（Ｐ）を落下などの物理的な衝撃から保護すべく、その携帯通信端末（Ｐ）へ背面（１）から着脱自在に抱き付け使用される保護カバーであって、ゴムやバネ、その他の伸縮材から成る手掛けバンド（Ｂ）を断面ほぼチャンネル形のカバー本体（Ｃ）へ、その背面（１１）を一定長さ（Ｌ）だけ横断する状態に取り付けて、その手掛けバンド（Ｂ）により上記携帯通信端末（Ｐ）の握り持ち操作手を拘束し得るように定めた。【選択図】図２
0003176133.tif 000002
【実用新案登録請求の範囲】
【請求項１】
多機能携帯電話器やその他の携帯通信端末を落下などの物理的な衝撃から保護すべく、その携帯通信端末へ背面から着脱自在に抱き付け使用されるカバーであって、
ゴムやバネ、その他の伸縮材から成る手掛けバンドを断面ほぼチャンネル形のカバー本体へ、その背面を一定長さだけ横断する状態に取り付けて、その手掛けバンドにより上記携帯通信端末の握り持ち操作手を拘束し得るように定めたことを特徴とする携帯通信端末の保護カバー。
【請求項２】
手掛けバンドがゴム芯又はコイルバネ芯と、これを被覆する伸縮性カバーとから成る紐状であることを特徴とする請求項１記載の携帯通信端末の保護カバー。
【請求項３】
手掛けバンドがゴム芯と、これに通し込まれた多数のビーズとから成る数珠状であることを特徴とする請求項１記載の携帯通信端末の保護カバー。
【請求項４】
手掛けバンドの両端部を直かに、又はその両端部へ固着した端部支持具を介して、カバー本体の背面へ一定長さだけ横断する状態に取り付け固定したことを特徴とする請求項１記載の携帯通信端末の保護カバー。
【請求項５】
手掛けバンドを携帯通信端末の背面と干渉しないように逃し入れる凹段面を、カバー本体の背面から背後方向へ陥没させると共に、そのバンド逃し入れ凹段面に少なくとも一対のバンド受け入れ孔を開口分布させて、
そのバンド受け入れ孔から通し込んだ手掛けバンドを、上記カバー本体のバンド逃し入れ凹段面に巻き付け無端化したことを特徴とする請求項１記載の携帯通信端末の保護カバー。
【請求項６】
手掛けバンドの両端部を携帯通信端末の背面と干渉しないように逃し入れる凹段面の一対を、カバー本体の背面から背後方向へ陥没させると共に、そのバンド逃し入れ凹段面に少なくとも一対として向かい合うバンド受け入れ孔を開口分布させて、
カバー本体の背面を一定長さだけ横断する状態にある手掛けバンドの両端部を、上記バンド受け入れ孔からバンド逃し入れ凹段面の内部へ挿入して、その凹段面へ内側から取り付けたことを特徴とする請求項１記載の携帯通信端末の保護カバー。
【請求項７】
手掛けバンドの両端部に固着した一対の端部支持具を、これと別個なバンド取付け具によって、カバー本体の背面へその背後方向から取り付けたことを特徴とする請求項１記載の携帯通信端末の保護カバー。
【請求項８】
手掛けバンドの両端部を携帯通信端末の背面と干渉しないように逃し入れる１個のバンド逃し入れ凹段面を、カバー本体の背面から背後方向へ陥没させると共に、そのバンド逃し入れ凹段面に少なくとも一対のバンド受け入れ孔を開口分布させて、
手掛けバンドの両端部に固着した一対の端部支持具を、上記バンド逃し入れ凹段面のバンド受け入れ孔へ背後方向から差し込み係止させたことを特徴とする請求項１記載の携帯通信端末の保護カバー。
【請求項９】
カバー本体の背面から少なくとも一対のバンド端部受け止め凸片を背後方向へ突出させると共に、そのバンド端部受け止め凸片にバンド受け入れ孔を開口形成して、
手掛けバンドの両端部に取り付けた一対の端部支持具を、上記バンド端部受け止め凸片のバンド受け入れ孔へ差し込んで、その手掛けバンドの収縮力により抜け止め状態に維持したことを特徴とする請求項１記載の携帯通信端末の保護カバー。
【請求項１０】
カバー本体の背面から少なくとも一対のバンド端部逃し入れ囲いを背後方向へ突出させると共に、
手掛けバンドの両端部に固着した一対の端部支持具を、これと別個なバンド取付け具によって、上記バンド端部逃し入れ囲いへその背後方向から取り付けたことを特徴とする請求項１記載の携帯通信端末の保護カバー。
【考案の詳細な説明】
【技術分野】
【０００１】
本考案は多機能携帯電話器（ｉＰｈｏｎｅ４（登録商標）の如きスマートフォン）やその他の携帯通信端末を、落下などの物理的な衝撃から守る保護カバーに関する。
【背景技術】
【０００２】
従来の携帯電話器ではその器体を背面から片手で握り持ち乍ら、その片手の親指によって必要なボタン操作を行っているが、最近のスマートフォンと通称されている多機能携帯電話器の場合、その画面（タッチスクリーン）の露出状態にある（非折りたたみ式）器体の横幅が広く、比較的に厚肉でもあるため、これを背面から握り持った片手の親指が、画面のタッチ操作したい目標個所まで届き難く、このことはその携帯電話器の器体へ背面から別個な保護カバーを抱き付けると、ますます顕著となり、必らずや両手を使用しなければならない意味において、大変不便である。
【０００３】
上記多機能携帯電話器を落下などの物理的な衝撃から守る合成樹脂製又はゴム製の保護カバーとしては、その各種製品が既に市販されているほか、特許文献１〜３に記載の公知考案も提案されている。
【先行技術文献】
【特許文献】
【０００４】
【特許文献１】実用新案登録第３１６８０９０号公報
【特許文献２】実用新案登録第３１７０２１６号公報
【特許文献３】実用新案登録第３１７４０２３号公報
【考案の概要】
【考案が解決しようとする課題】
【０００５】
ところが、上記保護カバーの市販品や特許文献１、２に記載されている考案の構成では、そのカバー本体が多機能携帯電話器などの携帯通信端末と対応して、これに背面から着脱自在に抱き付け使用できる断面チャンネル形をなしているに過ぎず、背面全体のフラット面であるため、そのカバー本体の背面へ握り持ち操作手（片手）の指先を掛け止めることができない。
【０００６】
つまり、従来の保護カバーは携帯通信端末を物理的な衝撃から守る本来的な機能のほかに、その携帯通信端末における上記指操作上の不便さを解消する特別な構成や機能が付与されていない。
【０００７】
そこで、本考案の実用新案登録出願人は特許文献３に記載の保護カバーを提案したが、引き続き鋭意検討を重ねた結果、その特許文献３の保護カバーでは握り持ち操作手の指先を掛け止める状態の安定性や拘束力などが不十分であり、使用中に未だ落下しやすいばかりでなく、携帯品としての装飾効果にも劣ることが判明した。
【課題を解決するための手段】
【０００８】
本考案はこのような課題の抜本的な解決を目的としており、その目的を達成するために、請求項１では多機能携帯電話器やその他の携帯通信端末を落下などの物理的な衝撃から保護すべく、その携帯通信端末へ背面から着脱自在に抱き付け使用されるカバーであって、
【０００９】
ゴムやバネ、その他の伸縮材から成る手掛けバンドを断面ほぼチャンネル形のカバー本体へ、その背面を一定長さだけ横断する状態に取り付けて、その手掛けバンドにより上記携帯通信端末の握り持ち操作手を拘束し得るように定めたことを特徴とする。
【００１０】
又、請求項２では手掛けバンドがゴム芯又はコイルバネ芯と、これを被覆する伸縮性カバーとから成る紐状であることを特徴とする。
【００１１】
請求項３では手掛けバンドがゴム芯と、これに通し込まれた多数のビーズとから成る数珠状であることを特徴とする。
【００１２】
請求項４では手掛けバンドの両端部を直かに、又はその両端部へ固着した端部支持具を介して、カバー本体の背面へ一定長さだけ横断する状態に取り付け固定したことを特徴とする。
【００１３】
請求項５では手掛けバンドを携帯通信端末の背面と干渉しないように逃し入れる凹段面を、カバー本体の背面から背後方向へ陥没させると共に、そのバンド逃し入れ凹段面に少なくとも一対のバンド受け入れ孔を開口分布させて、
【００１４】
そのバンド受け入れ孔から通し込んだ手掛けバンドを、上記カバー本体のバンド逃し入れ凹段面に巻き付け無端化したことを特徴とする。
【００１５】
請求項６では手掛けバンドの両端部を携帯通信端末の背面と干渉しないように逃し入れる凹段面の一対を、カバー本体の背面から背後方向へ陥没させると共に、そのバンド逃し入れ凹段面に少なくとも一対として向かい合うバンド受け入れ孔を開口分布させて、
【００１６】
カバー本体の背面を一定長さだけ横断する状態にある手掛けバンドの両端部を、上記バンド受け入れ孔からバンド逃し入れ凹段面の内部へ挿入して、その凹段面へ内側から取り付けたことを特徴とする。
【００１７】
請求項７では手掛けバンドの両端部に固着した一対の端部支持具を、これと別個なバンド取付け具によって、カバー本体の背面へその背後方向から取り付けたことを特徴とする。
【００１８】
請求項８では手掛けバンドの両端部を携帯通信端末の背面と干渉しないように逃し入れる１個のバンド逃し入れ凹段面を、カバー本体の背面から背後方向へ陥没させると共に、そのバンド逃し入れ凹段面に少なくとも一対のバンド受け入れ孔を開口分布させて、
【００１９】
手掛けバンドの両端部に固着した一対の端部支持具を、上記バンド逃し入れ凹段面のバンド受け入れ孔へ背後方向から差し込み係止させたことを特徴とする。
【００２０】
請求項９ではカバー本体の背面から少なくとも一対のバンド端部受け止め凸片を背後方向へ突出させると共に、そのバンド端部受け止め凸片にバンド受け入れ孔を開口形成して、
【００２１】
手掛けバンドの両端部に取り付けた一対の端部支持具を、上記バンド端部受け止め凸片のバンド受け入れ孔へ差し込んで、その手掛けバンドの収縮力により抜け止め状態に維持したことを特徴とする。
【００２２】
更に、請求項１０ではカバー本体の背面から少なくとも一対のバンド端部逃し入れ囲いを背後方向へ突出させると共に、
【００２３】
手掛けバンドの両端部に固着した一対の端部支持具を、これと別個なバンド取付け具によって、上記バンド端部逃し入れ囲いへその背後方向から取り付けたことを特徴とする。
【考案の効果】
【００２４】
請求項１の構成によれば、携帯通信端末へ背面から抱き付け使用される保護カバーとして、ゴムやバネ、その他の伸縮材から成る手掛けバンドが、そのカバー本体の背面を一定長さだけ横断する状態に取り付けられているため、携帯通信端末とその保護カバーとを一緒に握り持つ操作手（片手／５指）のうち、その親指以外の任意な本数の指先を上記手掛けバンドへ潜り込ませることにより、決して落下させることなく安定・確固に握り持つことができ、その状態のもとで残る親指だけを携帯通信端末の画面（タッチスクリーン）（正面）上まで無理なく伸ばして、その画面の目標個所に対するタップ操作を初め、移動やピンチイン・ピンチアウトなどの各種指操作を確実に便利良く行える効果がある。
【００２５】
その場合、手掛けバンドは伸縮性を有するため、上記握り持ち操作手の太さやその使用する本数が使用者によって異なるも、その変化に即応することができ、汎用性と利便性に著しく優れる。
【００２６】
上記手掛けバンドとして請求項２や請求項３の構成を採用するならば、そのゴム芯又はコイルバネ芯を被覆する伸縮性カバーや、ゴム芯に通し込まれた多数のビーズによって、携帯通信端末の保護カバーに携帯品としての優美なアクセサリー（装飾）効果を付与することができる。
【００２７】
又、請求項４〜請求項１０の各種構成を採用するならば、上記伸縮材から成る手掛けバンドの両端部をその端部支持具により、安定な固形状態に保って、カバー本体の背面やその背面から陥没する凹段面へ確実に取り付けることができる。
【００２８】
そのうち、特に請求項５のようなバンド逃し入れ凹段面を陥没させる構成や、請求項６、８のようなバンド端部逃し入れ凹段面を陥没させる構成、請求項９，１０のようなバンド端部受け止め凸片やバンド端部逃し入れ囲いを突出させる構成を各々採用するならば、カバー本体側の手掛けバンドが携帯通信端末の背面と干渉するおそれを予防でき、そのカバー本体の抱き付け使用に支障を与えない効果もある。
【図面の簡単な説明】
【００２９】
【図１】本考案に係る携帯通信端末用保護カバーの第１実施形態を示す分解斜面図である。
【図２】その保護カバーの組立状態を示す斜面図である。
【図３】図２の背面図である。
【図４】図３の４−４線断面図である。
【図５】図３の５−５線に沿う拡大断面図である。
【図６】上記第１実施形態の使用状態を示す背面図である。
【図７】図６の７−７線断面図である。
【図８】本考案の第２実施形態を示す斜面図である。
【図９】図８の９−９線断面図である。
【図１０】本考案の第３実施形態を示す背面図である。
【図１１】図１０の１１−１１線断面図である。
【図１２】本考案の第４実施形態を示す背面図である。
【図１３】図１２の１３−１３線断面図である。
【図１４】図１２の手掛けバンドを抽出して示す斜面図である。
【図１５】本考案の第５実施形態を示す斜面図である。
【図１６】図１５の１６−１６線断面図である。
【図１７】図１５の手掛けバンドを抽出して示す斜面図である。
【図１８】本考案の第６実施形態を示す背面図である。
【図１９】図１８の１９−１９線断面図である。
【図２０】図１８の手掛けバンドを抽出して示す斜面図である。
【図２１】本考案の第７実施形態を示す背面図である。
【図２２】図２１の２２−２２線断面図である。
【図２３】図２１の２３−２３線断面図である。
【図２４】本考案の第８実施形態を示す斜面図である。
【図２５】図２４の２５−２５線断面図である。
【図２６】本考案の第９実施形態を示す斜面図である。
【図２７】図２６の２７−２７線断面図である。
【図２８】図２６の手掛けバンドを抽出して示す斜面図である。
【図２９】本考案の第１０実施形態を示す斜面図である。
【図３０】図２９の３０−３０線断面図である。
【図３１】図２９の手掛けバンドを抽出して示す斜面図である。
【図３２】数珠状の手掛けバンドを示す部分断面図である。
【図３３】紐状の手掛けバンドを示す部分断面図である。
【考案を実施するための形態】
【００３０】
以下、図面に基いて本考案の具体的構成を詳述すると、先ず図１〜７はその本考案に係る携帯通信端末用保護カバーの第１実施形態を示しており、これは携帯通信端末（Ｐ）のうち特にスマートフォンと通称されている多機能携帯電話器へ、その背面から着脱自在に抱き付け使用できる対応的な大きさの断面ほぼチャンネル形（正面が開口する一定深さのトレー状）として、ポリカーボネートやポリプロピレン、繊維強化プラスチック（ＦＲＰ）、ポリウレタンなどの合成樹脂、ゴム、熱可塑性エラストマー（ＴＰＥ）、アルミニウムなどの軽金属、合成皮革、厚紙、木材などから作成されたカバー本体（Ｃ）を備えている。
【００３１】
つまり、その保護カバーのカバー本体（Ｃ）は携帯通信端末（Ｐ）の端末背面（１）を被覆するほぼ長方形の背面（１１）と、その背面（１１）の４辺から携帯通信端末（Ｐ）の厚み（ｔ）とほぼ対応する一定高さ（深さ）（ｄ）だけ連続一体に垂立する平面（１２）と底面（１３）並びに左右両側面（１４）（１４）とを有し、そのカバー本体（Ｃ）の平面（１２）と底面（１３）並びに左右両側面（１４）（１４）が、携帯通信端末（Ｐ）の対応位置する端末平面（２）と端末底面（３）並びに端末左右両側面（４）（４）を包囲し得るようになっている。
【００３２】
その場合、図示符号を省略するが、上記カバー本体（Ｃ）には携帯通信端末（Ｐ）のアンテナに対応位置する切欠き部やカメラレンズに対応位置する貫通孔、充電器の接続端子に対応位置する切欠き部、ストラップ取付孔などが設けられている。更に、そのカバー本体（Ｃ）は透明化又は半透明化されたり、これに装飾用の各種着色カラーや各種模様などが与えられたりすることもある。
【００３３】
何れにしても、本考案に係る保護カバーのカバー本体（Ｃ）にはゴムやバネ、その他の伸縮材から成る手掛けバンド（Ｂ）が、その背面（１１）を一定長さ（Ｌ）だけ横断する（跨ぐ）状態に取り付けられており、上記携帯通信端末（Ｐ）へ端末背面（１）から抱き付けた状態にある保護カバーを握り持ち使用する時、そのカバー本体（Ｃ）の背面（１１）を横断する（跨ぐ）手掛けバンド（Ｂ）へ、図６、７のように操作手（片手／５指）における親指（１５）以外の任意な指先（１６）（１７）（１８）（１９）を潜り込ませて、その手掛けバンド（Ｂ）により背後から拘束された安定・確固な握り持ち状態のもとで、その片手の残る親指（１５）だけを携帯通信端末（Ｐ）の画面（タッチスクリーン）（正面）（５）へ上方（表側）から臨ませて、縦横方向や斜め方向などへ無理なく伸ばすことにより、その目標個所を広範囲にタップ操作したり、移動やピンチイン・ピンチアウトなどの各種指操作を行ったりすることができるようになっている。
【００３４】
但し、本考案の明細書並びに実用新案登録請求の範囲において、手掛けバンド（Ｂ）がカバー本体（Ｃ）の背面（１１）を「横断」するとは、ほぼ長方形な背面（１１）との関係において、その短辺と平行な直線状態のみならず、長辺と平行な直線状態や斜め対角線となる状態なども含む意味であり、要するに取り付け上の方向性と位置を問わず、カバー本体（Ｃ）の背面（１１）へ一定長さ（Ｌ）だけ跨がる状態（橋渡す状態）に取り付けられておれば足りる。
【００３５】
この点、図１〜７の第１実施形態ではカバー本体（Ｃ）の背面（１１）から一対のバンド端部逃し入れ囲い（２０）（２０）を、背後方向へ一定高さ（ｄ１）だけ連続一体に隆起させた状態に区画形成する一方、一定長さ（Ｌ）の手掛けバンド（Ｂ）を平ゴムとして、その端部を一対の支持具（２１）（２１）に巻き付け一体化している。その端部支持具（２１）（２１）は手掛けバンド（Ｂ）の巻き付け芯筒から成る。
【００３６】
そして、上記手掛けバンド（Ｂ）の端部支持具（２１）（２１）をカバー本体（Ｃ）側の対応的な上記バンド端部逃し入れ囲い（２０）（２０）へ挿入した上、特別なバンド取付け具（２２）（２２）を介して、そのバンド端部逃し入れ囲い（２０）（２０）に取り付け固定しているが、茲にバンド取付け具（２２）（２２）の各個は鞘筒（２２ａ）（２２ａ）に内蔵された圧縮コイルバネ（２２ｂ）（２２ｂ）と、そのコイルバネ（２２ｂ）（２２ｂ）の押し出し付勢力を受けた一対の芯棒（２２ｃ）（２２ｃ）とから成るため、その芯棒（２２ｃ）（２２ｃ）を外部から鞘筒（２２ａ）（２２ａ）の内部へ押し込み圧縮操作することにより、上記手掛けバンド（Ｂ）をカバー本体（Ｃ）側のバンド端部逃し入れ囲い（２０）（２０）から取りはずして、新品と交換することができる。（２０ａ）（２０ａ）は上記バンド端部逃し入れ囲い（２０）（２０）に形成された向かい合う一対の芯棒受け入れ孔であり、バンド取付け具（２２）（２２）の芯棒（２２ｃ）（２２ｃ）を受け入れる。
【００３７】
このような第１実施形態の使用状態は図６、７に示すとおりであって、カバー本体（Ｃ）の背面（１１）を横断している手掛けバンド（Ｂ）へ、操作手（片手／５指）における親指（１５）以外の任意な複数本（図例では４本）の指先（１６）（１７）（１８）（１９）を潜り込ませる。
【００３８】
そうすれば、手掛けバンド（Ｂ）の引き伸ばしに伴なう復元収縮力により、その複数本の指先（１６）（１７）（１８）（１９）が締め付けられた拘束状態に保たれるため、その片手の残る親指（１５）だけを携帯通信端末（Ｐ）の画面（正面）（５）へ上方（表側）から臨ませて、その画面（タッチスクリーン）（５）の目標個所まで無理なく伸ばし、円滑に叩きや長押し、移動、拡大縮小などの各種指操作を行うことができ、その操作使用中に落下させてしまうおそれはない。
【００３９】
その落下のおそれなく拘束される結果、手掛けバンド（Ｂ）の伸縮力としてもカバー本体（Ｃ）を変形させてしまう程の強さが不要であり、これを逆説的に言えば、軟質の合成樹脂やエラストマー、その他の材料から成るカバー本体（Ｃ）にも適用しやすい。
【００４０】
しかも、手掛けバンド（Ｂ）は平ゴムから成り、伸縮性を有するため、上記操作手の太さやその使う本数などの変化に追従することができ、保護カバーが抱き付けられた携帯通信端末（Ｐ）を誰でも汎用的に便利良く、しかも安定良く握り持ち操作し得ることになる。
【００４１】
その場合、上記手掛けバンド（Ｂ）をカバー本体（Ｃ）の背面（１１）における長辺と平行な直線状態、就中図１〜３のような長手中心線上に沿って延在する直線状態に取り付けるならば、左勝手と右勝手との均等に使用することができ、利便性がますます向上する。
【００４２】
次に、図８、９は本考案の第２実施形態を示しており、これでは手掛けバンド（Ｂ）が携帯通信端末（Ｐ）の端末背面（１）と干渉しないように逃し入れられる一定深さ（ｄ１）の凹段面（２３）を、カバー本体（Ｃ）における背面（１１）の長手中心線上に沿って延在する一定長さだけ、その背面（１１）から背後方向へ連続一体に陥没させると共に、そのバンド逃し入れ凹段面（２３）の両端部に向かい合う一対のバンド受け入れ孔（２３ａ）（２３ａ）を開口形成している。
【００４３】
そして、ゴム紐から成る手掛けバンド（Ｂ）をそのバンド受け入れ孔（２３ａ）（２３ａ）から通し込んで、カバー本体（Ｃ）の上記バンド逃し入れ凹段面（２３）に巻き付けると共に、その手掛けバンド（Ｂ）の切り離し両端部を直かに締結するか、又は接着剤などを介して接着することにより、全体的に無端化している。（２４）はその継ぎ目を示している。
【００４４】
これによれば、その手掛けバンド（Ｂ）がカバー本体（Ｃ）のバンド逃し入れ凹段面（２３）に沿って外部へ露出した直線状態に延在するため、携帯通信端末（Ｐ）の握り持ち操作手をその手掛けバンド（Ｂ）に潜り込ませて、上記第１実施形態と同様な画面（正面）（５）の各種指操作を円滑に安定良く行うことができる。又、上記手掛けバンド（Ｂ）の締結状態を解除したり、或いは切断したりして、その手掛けバンド（Ｂ）の新品を上記バンド逃し入れ凹段面（２３）のバンド受け入れ孔（２３ａ）（２３ａ）へ再度通し込み、無端化することも可能である。
【００４５】
図１０、１１は本考案の第３実施形態を示しており、これではカバー本体（Ｃ）における背面（１１）の両端部から一対の並列するバンド端部逃し入れ凹段面（２５）（２５）を、やはり背後方向へ一定深さ（ｄ１）だけ連続一体に陥没させて、同じく背面（１１）の残る中間部が携帯通信端末（Ｐ）の端末背面（１）を受け止める接触面をなしている。
【００４６】
（２５ａ）（２５ａ）は上記バンド端部逃し入れ凹段面（２５）（２５）同士の向かい合う部位に開口分布された一対のバンド受け入れ孔、（２６ａ）（２６ａ）はそのバンド端部逃し入れ凹段面（２５）（２５）におけるバンド受け入れ孔（２５ａ）（２５ａ）と対応位置する内部に固定された面ファスナーであり、これと手掛けバンド（Ｂ）の両端部に付属する面ファスナー（２６ｂ）（２６ｂ）との雌雄一対によって、バンド取付け具（２６）（２６）を形作っている。
【００４７】
そして、平ゴムから成る手掛けバンド（Ｂ）の両端部をそのバンド受け入れ孔（２５ａ）（２５ａ）からバンド端部逃し入れ凹段面（２５）（２５）の内部へ挿入し、その両端部の面ファスナー（２６ｂ）（２６ｂ）を上記バンド端部逃し入れ凹段面（２５）（２５）の面ファスナー（２６ａ）（２６ａ）へ、内側から着脱自在に取り付けている。
【００４８】
これによれば、その手掛けバンド（Ｂ）がカバー本体（Ｃ）における背面（１１）の中間部を横断（橋絡）する露出した直線状態にあるため、携帯通信端末（Ｐ）の握り持ち操作手をその手掛けバンド（Ｂ）に潜り込ませて、上記第１実施形態と同様に画面（正面）（５）の各種指操作を、円滑に安定良く行うことができる。
【００４９】
その場合、バンド取付け具（２６）（２６）を図示するような雌雄一対の面ファスナー（２６ａ）（２６ａ）（２６ｂ）（２６ｂ）から具体化するならば、手掛けバンド（Ｂ）をそのカバー本体（Ｃ）のバンド端部逃し入れ凹段面（２５）（２５）から取りはずして、新品と交換できる利点があるが、その取りはずし不可能な接着や溶着、その他の固定手段を採用してもさしつかえない。
【００５０】
次に、図１２〜１７は本考案の第４、５実施形態を示しており、これらではカバー本体（Ｃ）における背面（１１）の中央部から比較的大きな１個のバンド端部逃し入れ凹段面（２７）を背後方向へ一定深さ（ｄ１）だけ連続一体に陥没させると共に、その凹段面（２７）へ少なくとも一対のバンド受け入れ孔（２７ａ）（２７ａ）を開口形成している。
【００５１】
そして、丸ゴムから成る手掛けバンド（Ｂ）の端部支持具（２８）（２８）を直かに、そのバンド受け入れ孔（２７ａ）（２７ａ）からバンド端部逃し入れ凹段面（２７）の内部へ、抜き差し自在に差し込み係止させている。そのため、カバー本体（Ｃ）の背面（１１）を一定長さ（Ｌ）だけ横断する状態（跨ぐ状態）にある手掛けバンド（Ｂ）へ、携帯通信端末（Ｐ）の握り持ち操作手を潜り込ませて、上記第１実施形態と同様な画面（正面）（５）の各種指操作を安定良く行うことができる。
【００５２】
その場合、図１２〜１４の第４実施形態における手掛けバンド（Ｂ）の端部支持具（２８）（２８）は円柱形の凸子（分銅）として、又図１５〜１７の第５実施形態における同じく端部支持具（２８）（２８）は楔状の先端部（２８ａ）（２８ａ）に直径収縮用の割り溝（２８ｂ）（２８ｂ）を備えた弾性変形可能なプラグ（ダボ）として各々具体化されており、その何れもカバー本体（Ｃ）のバンド端部逃し入れ凹段面（２７）から抜き出して、新品の手掛けバンド（Ｂ）と交換できるようになっている。
【００５３】
尚、図１２、１５に併せて示す如く、バンド端部逃し入れ凹段面（２７）に一対以上のバンド受け入れ孔（２７ａ）（２７ａ）を多数分布させて、１本の手掛けバンド（Ｂ）をカバー本体（Ｃ）における背面（１１）の縦横方向に沿う直線状態や斜め対角線となる直線状態に延在させたり、２本の手掛けバンド（Ｂ）を縦横直交する十字形や対角線同士の交叉するＸ字形に延在させたり、更には２本以上の手掛けバンド（Ｂ）を縦方向又は横方向に沿って平行に延在させたりしても良い。
【００５４】
図１８〜２３は本考案の第６、７実施形態を示しており、その図１８〜２０の第６実施形態では手掛けバンド（Ｂ）をコイルバネとし、その端部支持具（２９）（２９）を止めネジとして、互いに螺合締結している。
【００５５】
この点、図２１〜２３の第７実施形態では手掛けバンド（Ｂ）をゴム芯（３０）と、これに通し込まれた多数のビーズ（３１）とから成る数珠状とし、その端部支持具（３２）（３２）をゴム芯（３０）の端部へかしめ付けなどによって被覆状態に固着されたビーズ（３１）から具体化している。
【００５６】
他方、上記第６、７実施形態の何れにあっても、カバー本体（Ｃ）の背面（１１）から一対のバンド端部受け止め凸片（３３）（３３）を、背後方向へ一定高さ（ｄ２）だけ連続一体に隆起させると共に、そのバンド端部受け止め凸片（３３）（３３）にバンド受け入れ孔（３３ａ）（３３ａ）を開口形成している。
【００５７】
そして、図１８〜２０の第６実施形態では手掛けバンド（コイルバネ）（Ｂ）の端部支持具（止めネジ）（２９）を直かに、そのバンド端部受け止め凸片（３３）（３３）のバンド受け入れ孔（３３ａ）（３３ａ）へ相反する外方（図示の上下方向）から抜き差し自在に挿入して、その径大な頭部（２９ａ）（２９ａ）をバンド端部受け止め凸片（３３）（３３）へ係止させており、手掛けバンド（コイルバネ）（Ｂ）の収縮力を利用して、上記端部支持具（止めネジ）（２９）をバンド受け入れ孔（３３ａ）（３３ａ）から抜け出さぬ状態に保っている。
【００５８】
又、図２１〜２３の第７実施形態では手掛けバンド（数珠）（Ｂ）のゴム芯（３０）を直かに、そのバンド端部受け止め凸片（３３）（３３）に開口するキー穴形のバンド受け入れ孔（３３ａ）（３３ａ）へ、その切欠き部から抜き差し自在に挿入して、その端部支持具（ビーズ）（３２）（３２）をやはりバンド端部受け止め凸片（３３）（３３）へ係止させており、これでも手掛けバンド（数珠）（Ｂ）におけるゴム芯（３０）の収縮力によって、その端部支持具（ビーズ）（３２）（３２）をキー穴形のバンド受け入れ孔（３３ａ）（３３ａ）から抜け出さぬ状態に維持している。
【００５９】
上記第６実施形態の構成によれば、手掛けバンド（コイルバネ）（Ｂ）がコイル線材の密巻き圧縮状態として、カバー本体（Ｃ）における背面（１１）の長手中心線上に沿い延在しており、又第７実施形態の構成によれば、手掛けバンド（数珠）（Ｂ）がそのビーズ（３１）の密接した収縮状態として、やはりカバー本体（Ｃ）における背面（１１）の長手中心線上に沿い延在しているため、何れにしても携帯通信端末（Ｐ）の握り持ち操作手をその手掛けバンド（Ｂ）に潜り込ませて、画面（正面）（５）の各種指操作を円滑に安定良く行うことができ、その操作使用中に落下させてしまうおそれはない。
【００６０】
上記第６実施形態の場合には手掛けバンド（コイルバネ）（Ｂ）とその端部支持具（止めネジ）（２９）（２９）との螺合状態を解除することにより、又第７実施形態の場合には手掛けバンド（数珠）（Ｂ）のゴム芯（３０）を上記バンド受け入れ孔（３３ａ）（３３ａ）の切欠き部から取りはずすことにより、何れもその手掛けバンド（Ｂ）を新品と交換することができる。
【００６１】
次に、図２４〜３１は本考案の第８〜１０実施形態を示しており、これらの構成ではカバー本体（Ｃ）の背面（１１）から上記第１実施形態のようなバンド端部逃し入れ囲い（２０）（２０）や第２実施形態のようなバンド逃し入れ凹段面（２３）、第３〜５実施形態のようなバンド端部逃し入れ凹段面（２５）（２５）（２７）を背後方向へ陥没させることなく、そのカバー本体（Ｃ）の背面（１１）へ手掛けバンド（Ｂ）の端部支持具（３４）（３４）を別個なバンド取付け具（３５）（３５）によって、着脱自在に取り付け固定している。
【００６２】
つまり、図２４、２５の第８実施形態ではバンド端部支持具（３４）（３４）を言わば圧着端子として、平ゴムから成る手掛けバンド（Ｂ）の両端部へかしめ付け一体化すると共に、これから連続的に張り出す取付け座（３４ａ）（３４ａ）を、バンド取付け具（３５）（３５）としての皿ビスなどにより、カバー本体（Ｃ）の背面（１１）へその内側又は外側から着脱自在に取り付けるようになっている。
【００６３】
又、図２６〜２８の第９実施形態では丸ゴムから成る手掛けバンド（Ｂ）の両端部へかしめ付け一体化したバンド端部支持具（３４）（３４）から、フック状のバンド取付け具（３５）（３５）を連続的に曲げ出す一方、カバー本体（Ｃ）の背面（１１）に少なくとも一対のバンド受け入れ孔（１１ａ）（１１ａ）を開口形成して、そのバンド受け入れ孔（１１ａ）（１１ａ）へ上記バンド取付け具（３５）（３５）を背後方向から着脱自在に差し込み係止させるようになっている。
【００６４】
更に、図２９〜３１の第１０実施形態ではカバー本体（Ｃ）の背面（１１）に少なくとも一対の面ファスナー（３５ａ）（３５ａ）を取り付ける一方、これとバンド端部支持具（３４）（３４）に付属する面ファスナー（３５ｂ）（３５ｂ）との雌雄一対からバンド取付け具（３５）（３５）を形作り、その相互の着脱操作によって、手掛けバンド（Ｂ）をカバー本体（Ｃ）の背面（１１）に取り付けている。
【００６５】
上記第８〜１０実施形態の何れにあっても、手掛けバンド（Ｂ）はカバー本体（Ｃ）の背面（１１）へバンド取付け具（３５）（３５）によって、直かに取り付け固定されるため、そのカバー本体（Ｃ）の嵩張り（厚肉化）を効果的に抑制することができる。そして、携帯通信端末（Ｐ）の握り持ち操作手をやはり手掛けバンド（Ｂ）へ潜り込ませて、画面（正面）（５）の各種指操作を円滑に安定良く行えるのであり、その操作使用中の不慮に落下させるおそれはない。
【００６６】
その場合、図２６、２９に併せて示す如く、カバー本体（Ｃ）の背面（１１）に一対以上のバネ受け入れ孔（１１ａ）（１１ａ）を多数開口分布させたり、面ファスナー（３５ａ）（３５ａ）を多数点在分布させたりしておき、これらに対する手掛けバンド（Ｂ）の取付位置や配列方向性などを、使用者が希望通り取捨選択できるように定めても良い。その趣旨は図１２、１５に基いて説示したそれと実質的に同じである。
【００６７】
図１〜３１に示した上記第１〜１０実施形態の構成では、手掛けバンド（Ｂ）をカバー本体（Ｃ）へ何れも交換できるように取り付けているが、伸縮材から成る手掛けバンド（Ｂ）自身の両端部を直かにカバー本体（Ｃ）の背面（１１）へ、又はその両端部へ一旦かしめ付けなどにより固着した適当なバンド端部支持具（２１）（２８）（２９）（３２）（３４）を介してカバー本体（Ｃ）の背面（１１）へ、各々接着や溶着、ロウ付け、その他の着脱不能な各種手段によって取り付け固定しても良く、更には手掛けバンド（Ｂ）が伸縮性を発揮し得る限り、その手掛けバンド（Ｂ）も含むカバー本体（Ｃ）の全体を同じ材料から一体成形してもさしつかえない。
【００６８】
尚、図１８〜２０の上記第６実施形態では、１本のコイルバネから成る手掛けバンド（Ｂ）を示したが、これによればカバー本体（Ｃ）の材料や表面処理などとも相俟って、保護カバーに貴金属風の斬新な印象を与えることができる。
【００６９】
又、手掛けバンド（Ｂ）として図３２に抽出するようなゴム芯（３０）と、これに通し込まれた多数のビーズ（３１）とから成る数珠状のそれを採用するならば、そのビーズ（３１）におけるガラスや合成樹脂、真珠などの材質、その色彩や模様、光沢などの様相に基き、保護カバーに携帯品としての興趣変化に富む装飾効果を与えることができる。図３２の符号（３１ａ）は各ビーズ（３１）の芯通し孔を示している。
【００７０】
更に、上記第６、７実施形態以外の各種実施形態ではただ単なる丸ゴムや平ゴムの手掛けバンド（Ｂ）を説明したが、これも図３３に示すようなゴム芯（３０）又はコイルバネ芯と、これを被覆する繊維糸製の伸縮性カバー（３６）とから成る紐状のものを採用することが好ましい。
【００７１】
そうすれば、そのゴム芯（３０）又はコイルバネ芯との対応的に伸縮するカバー（３６）の着色カラーや編み方、織り方、その他の模様などにより、やはり保護カバーに携帯品としてのオリジナルな装飾効果を与えることができ、実益大である。
【符号の説明】
【００７２】
（１）・端末背面
（２）・端末平面
（３）・端末底面
（４）・端末左右両側面
（５）・画面（正面）
（１１）・カバー本体の背面
（１２）・カバー本体の平面
（１３）・カバー本体の底面
（１４）・カバー本体の左右両側面
（１５）・親指
（１６）（１７）（１８）（１９）・指先
（２０）・バンド端部逃し入れ囲い
（２０ａ）・芯棒受け入れ孔
（２１）（２８）（２９）（３２）（３４）・端部支持具
（２２）（２６）（３５）・バンド取付け具
（２２ａ）・鞘筒
（２２ｂ）・圧縮コイルバネ
（２２ｃ）・芯棒
（２３）・バンド逃し入れ凹段面
（１１ａ）（２３ａ）（２５ａ）（２７ａ）（３３ａ）・バンド受け入れ孔
（２４）・継ぎ目
（２５）（２７）・バンド端部逃し入れ凹段面
（２６ａ）（２６ｂ）（３５ａ）（３５ｂ）・面ファスナー
（２８ａ）・楔状先端部
（２８ｂ）・割り溝
（２９ａ）・頭部
（３０）・ゴム芯
（３１）・ビーズ
（３１ａ）・芯通し孔
（３３）・バンド端部受け止め凸片
（３４ａ）・取付け座
（３６）・カバー
（Ｂ）・手掛けバンド
（Ｃ）・カバー本体
（Ｐ）・携帯通信端末
【図１】
0003176133.tif 000003
【図２】
0003176133.tif 000004
【図３】
0003176133.tif 000005
【図４】
0003176133.tif 000006
【図５】
0003176133.tif 000007
【図６】
0003176133.tif 000008
【図７】
0003176133.tif 000009
【図８】
0003176133.tif 000010
【図９】
0003176133.tif 000011
【図１０】
0003176133.tif 000012
【図１１】
0003176133.tif 000013
【図１２】
0003176133.tif 000014
【図１３】
0003176133.tif 000015
【図１４】
0003176133.tif 000016
【図１５】
0003176133.tif 000017
【図１６】
0003176133.tif 000018
【図１７】
0003176133.tif 000019
【図１８】
0003176133.tif 000020
【図１９】
0003176133.tif 000021
【図２０】
0003176133.tif 000022
【図２１】
0003176133.tif 000023
【図２２】
0003176133.tif 000024
【図２３】
0003176133.tif 000025
【図２４】
0003176133.tif 000026
【図２５】
0003176133.tif 000027
【図２６】
0003176133.tif 000028
【図２７】
0003176133.tif 000029
【図２８】
0003176133.tif 000030
【図２９】
0003176133.tif 000031
【図３０】
0003176133.tif 000032
【図３１】
0003176133.tif 000033
【図３２】
0003176133.tif 000034
【図３３】
0003176133.tif 000035